(57)【要約】【課題】  紙葉類からの蛍光を簡易な構成で互いに異なる波長域の光に分けて検出し、紙葉類の真偽判別等を正確に行い得る紙葉類蛍光検出装置を提供する。【解決手段】  装置１０では、ＬＥＤ１３からの紫外線はＵＶ検出面Ｐ上の紙幣Ｓに照射される。これにより紙幣Ｓから発せられ検出軸線Ｚに沿って進行した蛍光のうちレッド領域の光Ｌ１は、ダイクロイックミラー１９で反射されフォトセンサ２３で受光され、ミラー１９を透過した光のうちグリーン領域の光Ｌ２は、ダイクロイックミラー２４で反射されフォトセンサ２８で受光され、ミラー２４を透過したブルー領域の光Ｌ３はフォトセンサ２９で受光される。このように、検出軸線Ｚ上へのミラー１９，２４の配置という簡易な構成で、紙幣Ｓからの蛍光を光の３原色に分けて検出し、各フォトセンサ２３，２８，２９の出力信号に基づき紙幣Ｓの真偽判別を正確に行い得る。【選択図】  図２
2005122392.tif 000002
【特許請求の範囲】
【請求項１】
紫外線発光素子から発せられた紫外線を検出面上の紙葉類に照射して、前記紙葉類から発せられた蛍光を検出する紙葉類蛍光検出装置において、
前記検出面と交差する検出軸線上に配置され、前記紙葉類から発せられた蛍光のうち第１波長域の光を反射し且つ前記第１波長域以外の波長域の光を透過させる第１の光学部材と、
前記第１の光学部材により反射された前記第１波長域の光を受光する第１の受光素子と、
前記検出軸線上に配置され、前記第１の光学部材を透過した光のうち第２波長域の光を反射し且つ前記第２波長域以外の第３波長域の光を透過させる第２の光学部材と、
前記第２の光学部材により反射された前記第２波長域の光を受光する第２の受光素子と、
前記第２の光学部材を透過した前記第３波長域の光を受光する第３の受光素子とを備えたことを特徴とする紙葉類蛍光検出装置。
【請求項２】
前記第１波長域の光、前記第２波長域の光及び前記第３波長域の光のそれぞれは、光の３原色のレッド領域、グリーン領域又はブルー領域のいずれか１つの領域の光であって、互いに異なる領域の光であることを特徴とする請求項１記載の紙葉類蛍光検出装置。
【請求項３】
前記第１波長域の光、前記第２波長域の光及び前記第３波長域の光のそれぞれは、光の３原色の補色であるシアン領域、マゼンダ領域又はイエロー領域のいずれか１つの領域の光であって、互いに異なる領域の光であることを特徴とする請求項１記載の紙葉類蛍光検出装置。
【請求項４】
前記検出軸線は前記検出面と略直交しており、
前記検出面と前記第１の光学部材との間に配置された光学フィルタは、前記紫外線発光素子から発せられた紫外線を前記検出軸線に沿って前記検出面側に反射すると共に、前記紙葉類から発せられた蛍光を前記検出軸線に沿って透過させることを特徴とする請求項１〜３のいずれか一項記載の紙葉類蛍光検出装置。
【請求項５】
前記第１の受光素子の出力信号と前記第２の受光素子の出力信号とを比較する第１の比較部と、
前記第２の受光素子の出力信号と前記第３の受光素子の出力信号とを比較する第２の比較部と、
前記第３の受光素子の出力信号と前記第１の受光素子の出力信号とを比較する第３の比較部と、
前記第１の比較部、前記第２の比較部及び前記第３の比較部により取得された比較信号を真の紙葉類についての基準データと比較することで前記検出面上の紙葉類の真偽を判別する判別部とを備えたことを特徴とする請求項１〜４のいずれか一項記載の紙葉類蛍光検出装置。
【請求項６】
前記第１の比較部は、前記第１の受光素子の出力信号を増幅する第１の増幅回路と、前記第２の受光素子の出力信号を増幅する第２の増幅回路と、前記第１及び前記第２の増幅回路の出力信号を受けて比較信号を出力する第１の差動増幅回路とを有し、
前記第２の比較部は、前記第２の受光素子の出力信号を増幅する第３の増幅回路と、前記第３の受光素子の出力信号を増幅する第４の増幅回路と、前記第３及び前記第４の増幅回路の出力信号を受けて比較信号を出力する第２の差動増幅回路とを有し、
前記第３の比較部は、前記第３の受光素子の出力信号を増幅する第５の増幅回路と、前記第１の受光素子の出力信号を増幅する第６の増幅回路と、前記第５及び前記第６の増幅回路の出力信号を受けて比較信号を出力する第３の差動増幅回路とを有することを特徴とする請求項５記載の紙葉類蛍光検出装置。
【発明の詳細な説明】
【技術分野】
【０００１】
本発明は、紙幣、商品券、カード等の紙葉類の種類や真偽の判別に用いられる紙葉類蛍光検出装置に関する。
【背景技術】
【０００２】
従来におけるこの種の技術として、例えば、特許文献１に記載された紙幣鑑別装置がある。この紙幣鑑別装置は、搬送中の紙幣に紫外線を照射し、その紙幣から発せられた蛍光を予め定められた透過波長域毎に区分して受光し、その透過波長域毎の検出信号間の大小相関データに基づいて紙幣の真偽を判別するものである。この紙幣鑑別装置における蛍光の受光には、受光素子の受光面を４分割して形成した各分割領域に、互いに異なる波長域の光を透過させる光学フィルタを配置させたセンシング部が用いられている。
【特許文献１】特開２００２−１０９５９８号公報
【発明の開示】
【発明が解決しようとする課題】
【０００３】
しかしながら、上述した紙幣鑑別装置にあっては、紙幣から発せられた蛍光を異なる波長域毎に区分して受光するために、受光素子の受光面を４分割して形成した各分割領域に互いに異なる光学フィルタを配置する必要があり、構造が複雑化してしまい、また、厳密には同一箇所を見ることが極めて難しい。
【０００４】
そこで、本発明は、このような事情に鑑みてなされたものであり、紙葉類から発せられた蛍光を簡易な構成で互いに異なる波長域の光に分けて検出し、紙葉類の種類や真偽の判別を正確に行うことができる紙葉類蛍光検出装置を提供することを目的とする。
【課題を解決するための手段】
【０００５】
上記目的を達成するために、本発明に係る紙葉類蛍光検出装置は、紫外線発光素子から発せられた紫外線を検出面上の紙葉類に照射して、紙葉類から発せられた蛍光を検出する紙葉類蛍光検出装置において、検出面と交差する検出軸線上に配置され、紙葉類から発せられた蛍光のうち第１波長域の光を反射し且つ第１波長域以外の波長域の光を透過させる第１の光学部材と、第１の光学部材により反射された第１波長域の光を受光する第１の受光素子と、検出軸線上に配置され、第１の光学部材を透過した光のうち第２波長域の光を反射し且つ第２波長域以外の第３波長域の光を透過させる第２の光学部材と、第２の光学部材により反射された第２波長域の光を受光する第２の受光素子と、第２の光学部材を透過した第３波長域の光を受光する第３の受光素子とを備えたことを特徴とする。
【０００６】
この紙葉類蛍光検出装置においては、紫外線発光素子から発せられた紫外線は検出面上に位置する紙葉類に照射される。この紫外線の照射により紙葉類から蛍光が発せられると、検出面と交差する検出軸線に沿って進行した蛍光のうち第１波長域の光は、第１の光学部材により反射されて第１の受光素子によって受光される。また、第１の光学部材を透過して検出軸線に沿って進行した光のうち第２波長域の光は、第２の光学部材により反射されて第２の受光素子によって受光される。更に、第２の光学部材を透過した第３波長域の光は第３の受光素子によって受光される。このように、同一の検出軸線上への第１の光学部材及び第２の光学部材の配置という簡易な構成によって、紙葉類から発せられた蛍光を互いに異なる波長域の光に分けて検出することができる。しかも、紙葉類が搬送中であってバタつくような場合にも、紙葉類の所定領域から発せられた蛍光を同一の受光条件で精度良く検出することができる。そして、第１、第２及び第３の受光素子の出力信号のそれぞれに基づいて紙葉類の種類や真偽の判別を行うことで、紙葉類から発せられた蛍光をそのまま受光してその出力信号に基づいて判別を行う場合に比べ、より一層正確な判別結果を得ることが可能になる。なお、紫外線発光素子には、紫外線のみを発光する素子だけでなく、紫外線を含んだ光を発光する素子も含まれる。
【０００７】
また、第１波長域の光、第２波長域の光及び第３波長域の光のそれぞれは、光の３原色のレッド領域、グリーン領域又はブルー領域のいずれか１つの領域の光であって、互いに異なる領域の光とする。このように、紙葉類から発せられた蛍光を光の３原色に分けることで、汎用性の高いダイクロイックミラー等の光学部品を第１及び第２の光学部材に適用することが可能になる。
【０００８】
また、第１波長域の光、第２波長域の光及び第３波長域の光のそれぞれは、光の３原色の補色であるシアン領域、マゼンダ領域又はイエロー領域のいずれか１つの領域の光であって、互いに異なる領域の光とする。このように、紙葉類から発せられた蛍光を光の３原色の補色に分けることで、光の３原色に分けて受光する場合に比べ、第１、第２及び第３の受光素子における受光感度を向上させることができる。
【０００９】
また、検出軸線は検出面と略直交しており、検出面と第１の光学部材との間に配置された光学フィルタは、紫外線発光素子から発せられた紫外線を検出軸線に沿って検出面側に反射すると共に、紙葉類から発せられた蛍光を検出軸線に沿って透過させることが好ましい。このように、検出面と略直交する検出軸線上において、紫外線発光素子から発せられた紫外線と紙葉類から発せられた蛍光とを進行させる構成を採用することで、紙葉類がシワになっていたり、折れ曲がっていたりしても、紙葉類から発せられた蛍光を互いに異なる波長域の光に分けて各受光素子で確実に受光することが可能になる。しかも、このような構成を採用することで、紙葉類蛍光検出装置の大型化を防止することができる。
【００１０】
また、第１の受光素子の出力信号と第２の受光素子の出力信号とを比較する第１の比較部と、第２の受光素子の出力信号と第３の受光素子の出力信号とを比較する第２の比較部と、第３の受光素子の出力信号と第１の受光素子の出力信号とを比較する第３の比較部と、第１の比較部、第２の比較部及び第３の比較部により取得された比較信号を真の紙葉類についての基準データと比較することで検出面上の紙葉類の真偽を判別する判別部とを備えることが好ましい。これにより、例えば、紫外線発光素子の紫外線発光量が経時的に変化したり、紙葉類からの蛍光発光量が雰囲気温度に応じて変化したりしても、第１波長域の光、第２波長域の光及び第３波長域の光の相互間における相対的な比較が可能になるため、紙葉類の種類や真偽の判別を正確に行うことができる。
【００１１】
また、第１の比較部は、第１の受光素子の出力信号を増幅する第１の増幅回路と、第２の受光素子の出力信号を増幅する第２の増幅回路と、第１及び第２の増幅回路の出力信号を受けて比較信号を出力する第１の差動増幅回路とを有し、第２の比較部は、第２の受光素子の出力信号を増幅する第３の増幅回路と、第３の受光素子の出力信号を増幅する第４の増幅回路と、第３及び第４の増幅回路の出力信号を受けて比較信号を出力する第２の差動増幅回路とを有し、第３の比較部は、第３の受光素子の出力信号を増幅する第５の増幅回路と、第１の受光素子の出力信号を増幅する第６の増幅回路と、第５及び第６の増幅回路の出力信号を受けて比較信号を出力する第３の差動増幅回路とを有する。
【発明の効果】
【００１２】
以上説明したように、本発明によれば、紙葉類から発せられた蛍光を簡易な構成で互いに異なる波長域の光に分けて検出し、紙葉類の種類や真偽の判別を正確に行うことができる。
【発明を実施するための最良の形態】
【００１３】
以下、本発明に係る紙葉類蛍光検出装置の好適な実施形態について、図面を参照して詳細に説明する。
【００１４】
図１に示される紙葉類検査器１においては、紙葉類の一例である紙幣の真偽判別、具体的には、偽造紙幣と正規（真）の紙幣との判別が行われる。同図に示されるように、紙葉類検査器１には、上下のガイド板２，３に挟まれて水平方向に延在する搬送路４が設けられている。この搬送路４の途中には搬送ローラ５，６が配置されており、各搬送ローラ５，６によって紙幣Ｓが排出側に向かって確実に搬送される。このような搬送路４の途中には紙葉類認識装置８が配置されている。
【００１５】
この紙葉類認識装置８は、ＬＥＤ等の光源によって紙幣Ｓを照らし、紙幣Ｓからの反射光をＣＣＤカメラで捕捉する構造を有しており、このＣＣＤカメラで撮像された画像と既知の画像データとの照合によって紙幣の金種が判別される。しかしながら、近年のカラーコピーの高精度化によって、紙葉類認識装置８による画像認識だけでは紙幣Ｓの真偽を判別し難い状況になっている。
【００１６】
そこで、紙幣Ｓの真偽判別を正確に行うために、紙葉類認識装置８の上流側には紙葉類蛍光検出装置１０が配置されている。この紙葉類蛍光検出装置１０は、図２に示されるように、搬送路４を搬送される紙幣Ｓが検出面Ｐ上を通過する際に紙幣Ｓに紫外線を照射し、紙幣Ｓから発せられ検出面Ｐと略直交する検出軸線Ｚに沿って進行する蛍光（可視光線）を検出することで紙幣Ｓの真偽判別を行う装置である。
【００１７】
より詳細には、紙葉類蛍光検出装置１０は直方体形状の筐体１１を有し、この筐体１１の下壁における検出軸線Ｚ上には、防塵用のガラス板１２で塞がれた開口部１１ａが形成されている。この筐体１１は、ガイド板２において検出軸線Ｚ上に形成された開口部２ａにガラス板１２を嵌め込むようにしてガイド板１２に取り付けられている。従って、紙幣Ｓから発せられた蛍光は、ガラス板１２及び開口部２ａ，１１ａを通過し、検出軸線Ｚに沿って上方に進行する。
【００１８】
この筐体１１内の下部には、出射した紫外線ＵＶの光軸が水平となるように紫外線ＬＥＤ（紫外線発光素子）１３が配置されている。この紫外線ＬＥＤ１３は、筐体１１の側壁の１つをなす回路基板（図示なし）にリード部１３ａを介して固定されている。なお、紫外線ＬＥＤ１３から発せられた紫外線ＵＶは、紫外線ＬＥＤ１３のパッケージに設けられたレンズ１４によって略平行光に整形される。
【００１９】
この紫外線ＬＥＤ１３の直前には、紫外線ＵＶのみを透過させる紫外線透過フィルタ１６が配置され、筐体１１の側壁１１ｂに立設された下側仕切部１７と筐体１１の下壁との間に掛け渡されて固定されている。これにより、紫外線ＵＶの波長域以外の波長域の光が紫外線ＬＥＤ１３から出射されても、そのような光を遮断して、紫外線ＵＶのみを紙幣Ｓに照射することが可能になる。
【００２０】
この紫外線ＵＶの光軸と検出軸線Ｚとが交差する位置には、検出軸線Ｚに対して例えば４５度といった所定の角度をもって可視光線透過フィルタ（光学フィルタ）１８が配置され、下側仕切部１７と筐体１１の下壁との間に掛け渡されて固定されている。この可視光線透過フィルタ１８は、紫外線ＬＥＤ１３から出射された紫外線ＵＶを検出軸線Ｚに沿って検出面Ｐ側に反射すると共に、紙幣Ｓから発せられた蛍光を検出軸線Ｚに沿って上方に透過させる。
【００２１】
また、検出軸線Ｚ上において可視光線透過フィルタ１８の上方には、検出軸線Ｚに対して例えば４５度といった所定の角度をもって第１のダイクロイックミラー（第１の光学部材）１９（以下「第１のミラー１９」という）が配置され、筐体１１の側壁１１ｂに立設された中央仕切部２１と筐体１１の側壁１１ｃに立設された下側保持部２２との間に掛け渡されて固定されている。この第１のミラー１９は、紙幣Ｓから発せられた蛍光のうち、光の３原色のレッド領域（例えば６００ｎｍ〜７００ｎｍ）の光（第１波長域の光）Ｌ１を側壁１１ｂ側に９０°折り曲げるように反射し、且つレッド領域以外の光を検出軸線Ｚに沿って上方に透過させる。
【００２２】
この第１のミラー１９により反射されたレッド領域の光Ｌ１は、下側仕切部１７と中央仕切部２１との間に配置された第１のフォトセンサ（第１の受光素子）２３によって受光される。このフォトセンサ２３は、そのリード部２３ａを介して上述の回路基板に固定されている。
【００２３】
更に、検出軸線Ｚ上において第１のミラー１９の上方には、検出軸線Ｚに対して例えば４５度といった所定の角度をもって第２のダイクロイックミラー（第２の光学部材）２４（以下「第２のミラー２４」という）が配置され、筐体１１の側壁１１ｂに立設された上側仕切部２６と筐体１１の側壁１１ｃに立設された上側保持部２７との間に掛け渡されて固定されている。この第２のミラー２４は、第１のミラー１９を透過した光のうち、光の３原色のグリーン領域（例えば４８０〜６００ｎｍ）の光（第２波長域の光）Ｌ２を側壁１１ｂ側に９０°折り曲げるように反射し、且つグリーン領域以外の光、すなわち光の３原色のブルー領域（例えば３８０〜４８０ｎｍ）の光（第３波長域の光）Ｌ３を検出軸線Ｚに沿って上方に透過させる。
【００２４】
この第２のミラー２４により反射されたグリーン領域の光Ｌ２は、中央仕切部２１と上側仕切部２６との間に配置された第２のフォトセンサ（第２の受光素子）２８によって受光される。このフォトセンサ２８は、そのリード部２８ａを介して上述の回路基板に固定されている。
【００２５】
一方、第２のミラー２４を透過したブルー領域の光Ｌ３は、検出軸線Ｚ上において第２のミラー２４の上方に配置された第３のフォトセンサ（第３の受光素子）２９によって受光される。このフォトセンサ２９は、そのリード部２９ａを介して上述の回路基板に固定されている。
【００２６】
以上のように構成された紙葉類蛍光検出装置１０においては、紫外線ＬＥＤ１３から出射せられた紫外線ＵＶは、可視光線透過フィルタ１８により反射された後、搬送路４を搬送されて検出面Ｐ上に達した紙幣Ｓに照射される。この紫外線ＵＶの照射により紙幣Ｓから蛍光が発せられると、検出軸線Ｚに沿って上方に進行した蛍光のうちレッド領域の光Ｌ１は、第１のミラー１９により反射されて第１のフォトセンサ２３によって受光される。また、第１のミラー１９を透過して検出軸線Ｚに沿って上方に進行した光のうちグリーン領域の光Ｌ２は、第２のミラー２４により反射されて第２のフォトセンサ２８によって受光される。更に、第２のミラー２４を透過したブルー領域の光Ｌ３は第３のフォトセンサ２９によって受光される。
【００２７】
このように、同一の検出軸線Ｚ上への第１及び第２のミラー１９，２４の配置という簡易な構成によって、紙幣Ｓから発せられた蛍光を光の３原色における各領域の光に分けて検出することができる。
【００２８】
しかも、搬送路４を搬送される紙幣Ｓがバタついて（図２の二点鎖線を参照）、紙葉類蛍光検出装置１０に対する紙幣Ｓの相対位置が変化しても、紙幣Ｓにおける紫外線ＵＶの照射領域、及び各フォトセンサ２３，２８，２９における受光領域を一定とすることができる。これにより、検出面Ｐに対応する紙幣Ｓの所定領域について蛍光の検出を精度良く行うことが可能になる。
【００２９】
そして、各フォトセンサ２３，２８，２９の出力信号のそれぞれに基づいて紙幣Ｓの種類や真偽の判別を行うことで、紙幣Ｓから発せられた蛍光をそのまま受光してその出力信号に基づいて判別を行う場合に比べ、より一層正確な判別結果を得ることが可能になる。
【００３０】
また、検出面Ｐと略直交する検出軸線Ｚ上において、紫外線ＬＥＤ１３から発せられた紫外線ＵＶと紙幣Ｓから発せられた蛍光とを進行させる構成を採用することで、紙幣Ｓがシワになっていたり、折れ曲がっていたりしても、紙幣Ｓから発せられた蛍光を光の３原色における各領域の光に分けて各フォトセンサ２３，２８，２９で確実に受光することが可能になる。しかも、このような構成を採用することで、紙葉類蛍光検出装置１０を小型化することが可能になる。
【００３１】
次に、紙幣Ｓの真偽判別を行うための回路構成について説明する。図３に示されるように、紙葉類蛍光検出装置１０においては、第１のフォトセンサ２３の出力信号と第２のフォトセンサ２８の出力信号とを比較する第１の比較部３１と、第２のフォトセンサ２８の出力信号と第３のフォトセンサ２９の出力信号とを比較する第２の比較部３２と、第３のフォトセンサ２９の出力信号と第１のフォトセンサ２３の出力信号とを比較する第３の比較部３３と、各比較部３１，３２，３３により取得された比較信号を、予め取得した真の紙幣Ｓについての基準データと比較することで検出面Ｐ上の紙幣Ｓの真偽を判別する判別部３４とが上述した回路基板に形成されている。
【００３２】
各比較部３１，３２，３３は同様の回路構成であるため、第１の比較部３１について説明し、第２及び第３の比較部３２，３３についての説明は省略する。第１の比較部３１はオペアンプを用いた増幅回路３６を２組有し、各増幅回路３６は、判別対象となる紙幣Ｓの種類毎に予め設定された増幅率で各フォトセンサ２３，２８の出力信号を増幅する。更に、第１の比較部３１はオペアンプを用いた差動増幅回路３７を有し、この差動増幅回路３７は、各増幅回路３６から出力された出力信号間において電圧値の大小を比較する。なお、各増幅回路３６の増幅率は、一律に等しい値に設定されるのではなく、後段の差動増幅回路３７での電圧値の比較が容易となるように増幅回路３６毎に適宜設定される。
【００３３】
ここで、搬送路４を搬送される紙幣Ｓに対しスキャン時間（ｔ１〜ｔ２）で紫外線ＵＶを照射した際の各比較部３１，３２，３３の差動増幅回路３７による比較信号の一例を図４に示す。例えば、第１の比較部３１の差動増幅回路３７は、同一のタイミングで第１のフォトセンサ２３側の出力信号の電圧値が第２のフォトセンサ２８側の出力信号の電圧値より小さければ「０」、大きければ「１」というようにして比較信号を生成する（勿論、小さければ「１」、大きければ「０」としてもよい）。これは、第２及び第３の比較部３２，３３の差動増幅回路３７においても同様である。
【００３４】
そして、判別部３４では、比較信号においてｔ１からｔ２までの間に「１」が現れた回数がカウンタによってカウントされる。図４に示される比較信号の場合、第１の比較部３１の出力では６回、第２の比較部３２の出力では４回、第３の比較部３３の出力では５回ということになる。判別部３４では、これら各比較部３１，３２，３３での回数と、予め取得した真の紙幣Ｓについての各比較部３１，３２，３３での回数とを比較部３１，３２，３３毎に比較し、全て一致すれば紙幣Ｓは正規のもの、１つでも一致しなければ偽造のものというように判別する。
【００３５】
以上のように、紙葉類蛍光検出装置１０においては、レッド領域の光Ｌ１、グリーン領域の光Ｌ２及びブルー領域の光Ｌ３の相互間における相対的な比較が行われるため、例えば、紫外線ＬＥＤ１３の紫外線発光量が経時的に変化したり、紙幣Ｓからの蛍光発光量が雰囲気温度に応じて変化したりしても、紙幣Ｓの真偽の判別を正確に行うことが可能になる。
【００３６】
本発明は、上記実施形態に限定されるものではない。例えば、第１のミラー１９で反射される第１波長域の光（上記実施形態ではレッド領域の光Ｌ１）、第１のミラー１９を透過して第２のミラー２４により反射される第２波長域の光（上記実施形態ではグリーン領域の光Ｌ２）、及び各ミラー１９，２４を透過する第３波長域の光（上記実施形態ではブルー領域の光Ｌ３）のそれぞれが、光の３原色のレッド領域、グリーン領域又はブルー領域のいずれか１つの領域の光であって、互いに異なる領域の光となるように各ミラー１９，２４を構成してもよい。このように、紙幣Ｓから発せられた蛍光を光の３原色に分けることで、第１及び第２のミラー１９，２４として汎用性の高いものを適用することが可能になる。
【００３７】
また、第１のミラー１９で反射される第１波長域の光、第１のミラー１９を透過して第２のミラー２４により反射される第２波長域の光、及び各ミラー１９，２４を透過する第３波長域の光のそれぞれが、光の３原色の補色であるシアン領域（例えば３８０〜６００ｎｍ）、マゼンダ領域（例えば３８０〜４００ｎｍ、及び６００〜７００ｎｍ）又はイエロー領域（例えば４８０〜７００ｎｍ）のいずれか１つの領域の光であって、互いに異なる領域の光となるように各ミラー１９，２４を構成してもよい。このように、紙幣Ｓから発せられた蛍光を光の３原色の補色に分けることで、光の３原色に分けて受光する場合に比べ、第１、第２及び第３のフォトセンサ２３，２８，２９における受光感度を向上させることができる。
【００３８】
更に、上記実施形態は、紙幣の真偽を判別する場合であったが、同様の構成により紙幣の種類を判別することも可能である。また、紙幣に限らず、商品券、カード等、種々の紙葉類を判別対象とすることができる。
【図面の簡単な説明】
【００３９】
【図１】本発明に係る紙葉類蛍光検出装置が適用された紙葉類検査器の一実施形態を示す断面図である。
【図２】本発明に係る紙葉類蛍光検出装置の一実施形態を示す断面図である。
【図３】紙幣の真偽判別を行うための回路構成を示すブロック図である。
【図４】各比較部の差動増幅回路による比較信号の一例を示す波形図である。
【符号の説明】
【００４０】
１０…紙葉類蛍光検出装置、１３…紫外線ＬＥＤ（紫外線発光素子）、１８…可視光線透過フィルタ（光学フィルタ）、１９…第１のダイクロイックミラー（第１の光学部材）、２３…第１のフォトセンサ（第１の受光素子）、２４…第２のダイクロイックミラー（第２の光学部材）、２８…第２のフォトセンサ（第２の受光素子）、２９…第３のフォトセンサ（第３の受光素子）、３１…第１の比較部、３２…第２の比較部、３３…第３の比較部、３４…判別部、Ｌ１…レッド領域の光（第１波長域の光）、Ｌ２…グリーン領域の光（第２波長域の光）、Ｌ３…ブルー領域の光（第３波長域の光）、ＵＶ…紫外線、Ｐ…検出面、Ｚ…検出軸線、Ｓ…紙幣（紙葉類）。
【図１】
2005122392.tif 000003
【図２】
2005122392.tif 000004
【図３】
2005122392.tif 000005
【図４】
2005122392.tif 000006